(57)【要約】【課題】  扉の閉じ状態では確実にロックされ、また簡単な操作により扉の閉じ状態に対して両側方向に扉を開くことができるハンドル錠を提供する。【解決手段】  揺動する扉６６の開放端付近に設けられた錠ケース１２，１４と、錠ケース１２，１４から突没するラッチヘッド５０と、ラッチヘッド５０を突出方向へ付勢する第一付勢手段６０と、錠ケース１２，１４に一部が差し込まれ、錠ケース１２，１４に対して移動可能に取り付けられたハンドル部材３８を有する。ハンドル部材３８の錠ケース１２，１４内側に位置する部分に形成され、ラッチヘッド５０が後退するときに通過するラッチヘッド挿通空間２５に位置し、ラッチヘッド５０が錠ケース１２，１４の内側に後退することを防ぐロック部４２を備える。ロック部４２がラッチヘッド５０の後退を妨ぐロック状態になる方向へ向かって、ハンドル部材３８を付勢する第二付勢手段６２を備える。【選択図】      図１
2005163498.tif 000002
【特許請求の範囲】
【請求項１】
揺動する扉の開放端付近に設けられた錠ケースと、上記錠ケースから突没するラッチヘッドと、上記ラッチヘッドの上記扉の揺動方向に対して交差する一対の側面に形成され先端に近づくにつれて細くなる傾斜面と、上記ラッチヘッドを突出方向へ付勢する第一付勢手段と、上記錠ケースに一部が差し込まれ上記錠ケースに対して移動可能に取り付けられたハンドル部材と、上記ハンドル部材の上記錠ケース内側に位置する部分に形成され上記ラッチヘッドが後退するときに通過するラッチヘッド挿通空間に位置し上記ラッチヘッドが上記錠ケースの内側に後退することを防ぐロック部と、上記ロック部が上記ラッチヘッドの後退を防ぐロック状態になる方向へ向かって上記ハンドル部材を付勢する第二付勢手段が設けられ、上記扉を開閉するときは、上記ハンドル部材を上記第二付勢手段の付勢力に抗して移動させることにより、上記ラッチヘッドが上記ラッチヘッド挿通空間へ後退可能としたことを特徴とするハンドル錠。
【請求項２】
上記ハンドル部材は、上記ラッチヘッドの挿通空間近傍に軸止され、一端部は上記錠ケースから外方に突出する握り部が設けられ、他端部には上記ラッチヘッド挿通空間に差し込まれる上記ロック部が設けられていることを特徴とする請求項１記載のハンドル錠。
【請求項３】
上記ハンドル部材は、上記ラッチヘッドの突出方向に対して略直角に位置する軸部材が設けられ、上記軸部材の両端部は上記錠ケースの外側に突出してノブ形の握り部が設けられ、上記軸部材の途中には上記ラッチヘッド挿通空間に位置する上記ロック部が設けられ、上記軸部材の軸方向の移動によりロック状態と解除状態を切り替え可能としたことを特徴とする請求項１記載のハンドル錠。
【発明の詳細な説明】
【技術分野】
【０００１】
この発明は、揺動する扉の開放端に取り付けられ、柱や固定扉に対してこの扉を開閉する操作を行うためのハンドル錠に関する。
【背景技術】
【０００２】
従来、門扉やドアは、縦方向の一側縁部は蝶番を介して柱や壁等に取り付けられ、また他方の側縁部、つまり開放端にはラッチを有するハンドル錠が設けられている。ハンドル錠は、扉に取り付けられた錠ケースと、錠ケースの開口部から側方へ突没するラッチヘッドが設けられている。ラッチヘッドは一側面が長細い矩形であり、その矩形の長手方向に対して平行な一つの角部が斜めに切り取られた形状で斜面を形成している。ラッチヘッドは、突出する方向へコイルスプリングなどで付勢され、ラッチケースに設けられているレバーにより付勢力に抗して突没される。
【０００３】
また、扉の開放端が閉じられる柱や固定扉の、ラッチヘッドに対向する位置には、ラッチ受部材が設けられ、ラッチ受部材にはラッチヘッドが差し込まれる凹部であるラッチヘッド収容部が形成されている。
【０００４】
次に、このハンドル錠の動作について説明する。扉を閉めるときは、ラッチヘッドの傾斜面がラッチヘッド受部材に当接して、ラッチヘッドは扉の内側に押し込められる。そして、ラッチヘッドがラッチヘッド収容部に一致すると、コイルスプリングによりラッチヘッド収容部へ突出しロックされる。一方、扉を開けるときは、レバーによりラッチヘッドを扉の内側に後退させて、扉を一方向に揺動させる。
【特許文献１】特開２００１−２２７２６９号公報
【発明の開示】
【発明が解決しようとする課題】
【０００５】
一般にハンドル錠は、柱や固定扉に対して片側方向のみに、開閉するように作られており、反対側には開くことができない。しかし、例えば歩行が困難な通行者が車椅子や歩行器で通行する際は、扉が通行者側のみに開くとき、レバーに手が届く程度に扉に近付くと扉の揺動と共に通行者自身も後退しなければならず、通行が困難であった。このため、扉が両方向どちら側も開くような構造が望まれている。
【０００６】
この問題を解決するために、両方向に開くハンドル錠もあるが、構造が複雑なものであり、また、簡単な構造の場合扉がロックされない構造であった。
【０００７】
この発明は、上記従来の技術の問題点に鑑みてなされたものであり、簡単な構造で、扉の閉じ状態では確実にロックされ、また簡単な操作により扉の閉じ状態に対して両側方向に扉を開くことができるハンドル錠を提供することを目的とする。
【課題を解決するための手段】
【０００８】
本発明は、揺動する扉の開放端付近に設けられた錠ケースと、上記錠ケースから突没するラッチヘッドと、上記ラッチヘッドの上記扉の揺動方向に対して交差する一対の側面に形成され先端に近づくにつれて細くなる傾斜面と、上記ラッチヘッドを突出方向へ付勢する第一付勢手段と、上記錠ケースに一部が差し込まれ上記錠ケースに対して移動可能に取り付けられたハンドル部材と、上記ハンドル部材の上記錠ケース内側に位置する部分に形成され上記ラッチヘッドが後退するときに通過するラッチヘッド挿通空間に位置し上記ラッチヘッドが上記錠ケースの内側に後退することを防ぐロック部と、上記ロック部が上記ラッチヘッドの後退を防ぐロック状態になる方向へ向かって上記ハンドル部材を付勢する第二付勢手段が設けられているハンドル錠である。上記扉を開閉するときは、上記ハンドル部材を上記第二付勢手段の付勢力に抗して移動させることにより、上記ラッチヘッドが上記ラッチヘッド挿通空間へ後退可能とした。なお、上記扉が隣接する部材に閉められた状態のときは、ロック状態であり、確実に閉じられている。
【０００９】
また、上記ハンドル部材は、上記ラッチヘッドの挿通空間近傍に軸止され、一端部は上記錠ケースから外方に突出する握り部が設けられ、他端部には上記ラッチヘッド挿通空間に差し込まれる上記ロック部が設けられている。
【００１０】
また、上記ハンドル部材は、上記ラッチヘッドの突出方向に対して略直角に位置する軸部材が設けられ、上記軸部材の両端部は上記錠ケースの外側に突出してノブ形の握り部が設けられ、上記軸部材の途中には上記ラッチヘッド挿通空間に位置する上記ロック部が設けられ、上記軸部材の軸方向の移動によりロック状態と解除状態を切り替える。
【００１１】
また、上記扉が閉じられる上記隣設部材に取り付けられた上記ラッチ受部材は、両開き式であり、上記扉に対向する方向と上記扉の揺動方向の３方向が開放されたラッチヘッド収容部と、上記ラッチヘッド収容部に上記扉の揺動方向の端部に取り付けられ上記ラッチヘッドが間に入る一対のロック部材が設けられている。上記ロック部材は、上記扉が閉じるときには、上記ラッチヘッド収容部に侵入する上記ラッチヘッドに押されて移動し上記扉を通過させ、上記扉が開くときは、上記ラッチヘッド収容部から出る方向に移動する上記ラッチヘッドを止めて上記扉をロックする。また、上記ロック部は、上記ハンドル部材等と別体のロック部材に設けられていても良い。
【発明の効果】
【００１２】
本発明のハンドル錠は、簡単な構造で、扉を閉めた位置に対して両方向に扉を開閉することができる。扉を閉めるときは、扉を閉める部材に近付けるだけで、ラッチ受部材の一方のロック部材を簡単に回転させて通過状態とし、扉が閉じたときにはロック部材が元の位置に戻り、確実にロックすることができる。扉を開けるときは、ハンドル部材を解除位置にしながら扉を押すと、通行者と反対側に簡単に開けることができる。これにより、歩行が困難な通行者が車椅子や歩行器でいずれの方向から来ても、自分の位置と反対の、進行方向へ扉を開けて、容易に通過することができる。
【発明を実施するための最良の形態】
【００１３】
以下、この発明の実施形態について、図面に基づいて説明する。図１〜図５は、この発明の第一実施形態を示すものであり、この実施形態のハンドル錠１０は、互いに組み合わされて箱体となる一対の錠ケース１２，１４が設けられている。錠ケース１２，１４は、ほぼ対称形に設けられ、錠ケース１４は、四角形の側面部１６が設けられ、側面部１６の周縁部には、側面部１６に対してほぼ直角な壁部１８が一周して立設されている。壁部１８の四つの角部とその近傍には、側面部１６に対してほぼ直角に、６個のネジ穴２０が各々形成されている。側面部１６の一方の縁部１６ａは、壁部１８の高さが約半分に切り欠かれたラッチヘッド挿通口２２が設けられている。ラッチヘッド挿通口２２の両側には、壁部１８から内側に連続する一対のガイド壁部２４が形成され、一対のガイド壁部２４の間はラッチヘッド挿通空間２５となる。ラッチヘッド挿通空間２５の途中には、ラッチヘッド５０の挿通方向に対して直角な段部２６が、側面部１６より高く設けられている。ラッチヘッド挿通空間２５の、ラッチヘッド挿通口２２と反対側には、後述する第一付勢手段である第一コイルバネ６０が入れられる半円筒形のバネ収容部２８が設けられている。
【００１４】
側面部１６の縁部１６ａの反対側に位置する縁部１６ｂには、壁部１８の高さが約半分に切り欠かれたハンドル部材挿通口３２が設けられている。ハンドル部材挿通口３２の両側には、壁部１６から内側に連続する一対のガイド壁部３４が設けられている。ガイド壁部３４は、中央部が互いに離れる方へ湾曲して、内側に円形の空間が形成され、ここは後述するハンドル部材３８の軸用透孔１７部分が入れられるハンドル部材取付部３６となる。ハンドル部材取付部３６は、ラッチヘッド挿通空間２５の、挿通方向の延長上からずれて設けられている。ハンドル部材取付部３６は、側面部１６の、使用状態で上方を向く縁部１６ｃに近く、ラッチヘッド挿通空間２５は使用状態で下方を向く縁部１６ｄに近い。ハンドル部材取付部３６を囲う一対のガイド壁部３４の、ラッチヘッド挿通空間２５側は、ラッチヘッド挿通空間２５に対面するバネ収容部２８の側方に連続し、ここで、ラッチヘッド挿通空間２５とハンドル部材取付部３６が、互いに連通している。ハンドル部材取付部３６の中心には、円形の溝部３５が形成され、溝部３５の中心には軸受凹部３７が形成されている。
【００１５】
ハンドル部材取付部３６には、ハンドル部材３８が設けられている。ハンドル部材３８は、棒状の握り部４０が設けられ、握り部４０の一端部には、後述するラッチヘッド５０の動きを規制するロック部４２が設けられている。ロック部４２は、握り部４０の中心軸に対してほぼ直角に突出し、ラッチヘッド挿通空間２５に一部が突出している。ハンドル部材３８の、握り部４０とロック部４２の間には、握り部４０の長手方向に対して直角に後述する軸部材６１が挿通される軸用透孔４４が設けられている。軸用透孔４４の周囲は、軸用透孔４４と同心円の円柱状に幅広く形成され、握り部４０側の半円の周縁部には、突起４５が設けられている。
【００１６】
ラッチヘッド挿通空間２５に入れられるラッチヘッド５０は、側面部１６に対して平行な一対の側面５０ａ，５０ｂに、ラッチヘッド５０の先端５０ｃに近付くにつれて互いに近付く傾斜面５２が設けられ、傾斜面５２は、ラッチヘッド５０の内側へ窪むように湾曲されている。ラッチヘッド５０先端５０ｃの反対側の端面５０ｄには、ラッチヘッド挿通空間２５のハンドル部材取付部３６側に、ラッチヘッド挿通空間２５の挿通方向に突出する突起５４が設けられている。端面５０ｄの、突起５４が設けられていない部分には、バネ収容部２８に対面して円筒形のバネ収容部５７が形成されている。一対の側面５０ａ，５０ｂの、端面５０ｄに連続する部分には、係止突起５６が設けられている。
【００１７】
錠ケース１４の、縁部１６ａに対して略直角な一対の縁部１６ｃ，１６ｄには、壁部１８の外側に、壁部１８よりも高く突出する取付部５８が設けられている。取付部５８は、後述する門扉６６に取り付けるものである。
【００１８】
次に、この実施形態のハンドル錠１０の組み立て構造及び方法について説明する。まず、錠ケース１４のラッチヘッド挿通空間２５内にラッチヘッド５０を入れる。このとき、ラッチヘッド５０の係合突起５６は、錠ケース１４の段部２６より錠ケース１４の中央側に位置させ、抜け落ちを防ぐ。またラッチヘッド５０のバネ収容部５７と、錠ケース１４のバネ収容部２８には、ラッチヘッド５０を外側に付勢する第一コイルバネ６０が入れられる。また、錠ケ―ス１４のハンドル部材取付部３６にハンドル部材３８を入れる。ハンドル部材３８の軸用透孔４４を、錠ケース１４の軸用透孔３７に一致させる。軸用透孔３８，４４に軸部材６１を挿通し、回転可能に取り付ける。このときハンドル部材３８の突起４５が、錠ケース１４の溝部３５に回転可能に嵌合される。軸部材６１には、第二付勢手段である第二コイルバネ６２をはめ、ハンドル部材３８のロック部４２がラッチヘッド挿通空間２５に差し込まれる、ロック状態になる方に向かってハンドル部材３８を付勢する。なおロック状態では、ハンドル部材３８の握り部４０基端部が、ハンドル部材挿通口３２の周縁部に当接し、回転を止めている。
【００１９】
この状態で他方の錠ケース１２を錠ケース１４に合わせ、互いに連通するケース１２のネジ穴２０と錠ケース１４のネジ穴２０にボルトを螺合させ、合掌状態に組み立てる。
【００２０】
このように組み立てられたハンドル錠１０は、例えば図４に示すように門扉６６に取り付けられている。門扉６６は、地面に立設された門柱６８に、一端を両開き式ヒンジ７０を介して取り付けられている。門扉６６の開放端側には、門扉６６が閉じられる門柱６９が立設されている。門扉６６は、所定形状の外枠部７２を有し、外枠部７２に囲まれた内側には桟状部７４が所定構造で複数本設けられている。外枠部７２の開放端側には、外枠部７２の桟状部７４に面する内側面７２ａに、ハンドル錠１０をボルト等で取り付ける。ハンドル錠１０は、握り部４０が下に押し下げられてラッチ錠が解除状態となるように、錠ケース１２，１４の縁部１６ｃが上面、縁部１６ｄが下面となるように取り付ける。このときハンドル部材３８の握り部４０は、一対の桟状部７４の間に位置し、門扉６６の厚みの幅内に収容される。ラッチヘッド５０は、外枠部７２の外側面から外側に突出している。
【００２１】
また門扉６６が閉じられる門柱６９には、ハンドル錠１０に対向する位置に、図５に示すラッチ受部材７６を取り付ける。ラッチ受部材７６には、門扉６６に対向する方向と門扉６６の揺動方向に開放された空間であるラッチヘッド収容部７８が設けられ、ラッチヘッド収容部７８には、門扉６６の揺動方向に沿って一対のロック部材８０が取り付けられている。ロック部材８０は、図５（ａ）のように、門扉６６から突出するラッチヘッド５０がラッチ受部材７６に閉じるときは回転可能であり、（ｂ）のようにラッチヘッド５０をラッチヘッド収容部７８に通過させ、ラッチヘッド収容部７８のほぼ中央にラッチヘッド５０がくると（ｃ）のようにもとの位置に戻り、ラッチヘッド５０をロックする。
【００２２】
次にこの実施形態のハンドル錠１０の動作について説明する。門扉６６を門柱６９に閉じるときは、門扉６６からラッチヘッド５０が突出した状態、つまりハンドル部材３８に力を加えずロック部４２がラッチヘッド５０の後退を押さえたロック状態で、門柱６９のラッチ受部材７６に収容され閉じられる。門扉６６を門柱６９から開けるときは、ハンドル部材３８の握り部４０を、第二コイルバネ６２の付勢力に抗して押し下げ、ロック部４２をラッチヘッド挿通部２５から退避させ、ラッチヘッド５０が移動可能な解除状態とする。その状態で門扉６６を進行方向へ押すと、ラッチヘッド５０がラッチ受部材７６のロック部材８０に押され、第一コイルバネ６０の付勢力に抗して錠ケース１２，１４の内側に後退し、ラッチ受部材７６のロック部材８０を乗り越えて、開く。門扉６６が門柱６９に閉じているときは、ラッチヘッド５０の後退を押さえたロック状態であり、ラッチ受部材７６に確実にロックされ、不用意に開くことを防ぐ。また、ハンドル錠１０は、門扉６６以外に室内扉に使用してもよい。
【００２３】
この実施形態のハンドル錠１０によれば、簡単な構造で門柱６９に対して両側のいずれの方向でも、門扉６６を開閉することができる。開けるときは、ハンドル部材３８の握り部４０を押し下げるだけでラッチヘッド５０を解除状態にし、その状態のまま門扉６６を押して簡単に開けることができる。門扉６６を閉めるときは、門柱６９に近付けるだけで、一対のうち一方のロック部材８０が回転して通過状態とし、門扉６６が門柱６９に閉じたときにはロック部材８０が元の位置に戻り、確実にロックすることができる。これにより、歩行が困難な通行者が車椅子や歩行器でいずれの方向から来ても、自分の位置と反対の、進行方向へ門扉６６を開けて、容易に通過することができ、通過した後に門扉６６を閉めることも容易にできる。また、ハンドル部材３８の握り部４０は、門扉６６の厚みの幅内に位置するため、通行者の衣服や車椅子などに引っかかることがなく、安全に通過することができる。ハンドル錠１０は、門扉６６以外に室内用扉にも使用することができる。
【００２４】
次に、この発明の第二実施形態について図６に基づいて説明する。ここで、上記実施形態と同様の構成は同一の符号を付して説明を省略する。この実施形態のハンドル錠８２は、上記実施形態とほぼ同形の錠ケース１２，１４を有し、錠ケース１２，１４のハンドル部材取付部３６の中心に、円形の軸用透孔８４が、錠ケース１２，１４を貫通して形成されている。ハンドル部材取付部３６の内側には、ロック部材８６が設けられている。ロック部材８６は、円形のハンドル部材取付部３６とほぼ同心円の円柱状の本体８７を有し、本体８７の中心には、軸用透孔８６に連通する四角筒形の連結部材用透孔８８が貫通して形成されている。本体８７の、錠ケース１４の壁部１８側の半円形の周縁部には、突起９０が設けられている。本体８７の、壁部９０の反対側には、錠ケース１４のラッチヘッド挿通部２５側に折り曲げられて突出するロック突起９２が一体に形成されている。
【００２５】
ロック部材８６の連結部材用透孔８８には、略四角柱の連結部材９４が嵌合されている。連結部材９４の両端部は、錠ケース１２，１４の軸用透孔８４を通って外側に挿通され、ハンドル部材９６が取り付けられている。ハンドル部材９６は、連結部材９４が嵌合される四角筒部９７を有するパイプ状の保持部９８を有し、保持部９８の端部には、保持部９８に対してほぼ直角に折り曲げられた棒状の握り部１００が一体に設けられている。連結部材９４には、図示しない第二コイルバネが取り付けられ、ロック部材８６のロック突起９２が、ラッチヘッド挿通部２５に差し込まれた、ロック状態になる方に向かって付勢されている。ハンドル錠８２は、門扉や室内用扉に取り付けられる。
【００２６】
次に、この実施形態のハンドル錠８２の動作について説明する。ハンドル錠８２は、上記実施形態と同様に両開き式の門扉や室内用の扉に取り付けられる。そして、門柱等の隣接する部材には、上記実施形態と同様のラッチ受部材７６が設けられている。扉を開けるときは、ハンドル部材９６の握り部１００を、第二コイルバネの付勢力に抗して押し下げ、ロック突起９２をラッチヘッド挿通部２５から退避させ、ラッチヘッド５０が後退可能な解除状態とする。その状態で扉を進行方向へ押すと、ラッチヘッド５０がラッチ受部材７６に押されて錠ケース１２，１４の内側に後退し、ラッチ受部材７６を乗り越えて開く。
【００２７】
この実施形態のハンドル錠８２によれば、上記実施の形態と同様の効果を有し、扉を両方向に簡単に開閉することができる。
【００２８】
次に、この発明の第三実施形態について図７〜図９に基づいて説明する。この実施形態のハンドル錠１０２には、互いに組み合わされて箱体となる錠ケース１０４，１０６が設けられている。錠ケース１０４，１０６は、四角形の側面部１０８が設けられ、側面部１０８の周縁部には、壁部１１０が一周して立設されている。壁部１１０には、６個のネジ穴１１２が設けられている。側面部１０８の縁部１０８ａは、壁部１１０にラッチヘッド挿通口１１４が設けられている。ラッチヘッド挿通口１１４の両側には一対のガイド壁部１１６が形成され、一対のガイド壁部１１６の間は、ラッチヘッド挿通部１１８となる。ラッチヘッド挿通部１１８の、ラッチヘッド挿通口１１４と反対側には、第一コイルバネ１１９が入れられる半円筒形のバネ収容部１２０が設けられている。
【００２９】
側面部１０８の縁部１０８ａの反対側に位置する縁部１０８ｂ側には、ハンドル部材取付部１２２が、四角筒状のガイド壁部１２３に囲まれて設けられている。ハンドル部材取付部１２２の中心には、側面部１０８を貫通して円形のハンドル部材挿通口１２４が形成されている。ハンドル部材挿通口１２４の周囲には、円形の窪みであるバネ収容部１２６が形成されている。
【００３０】
ハンドル部材取付部１２２の内側には、四角い板状のロック板１２８が設けられている。ロック板１２８の中心には、円形の窪みであるバネ収容部１３０が両面に各々設けられ、バネ収容部１３０の中心には、四角筒形の連結部材用透孔１３２が貫通して形成されている。
【００３１】
ロック板１２８の連結部材用透孔１３２には、四角柱形の連結部材１３４が挿通され、連結部材１３４の両端部には、第二コイルバネ１３６が各々取り付けられている。さらに連結部材１３４の先端部は、錠ケース１０４，１０６のハンドル部材挿通口１２４から差し込まれるハンドル部材１３８が取り付けられている。ハンドル部材１３８は、連結部材１３４が嵌合される四角筒部１４０を有するパイプ状の保持部１４２を有し、保持部１４２の端部には、保持部１４２より径が大きい大径部１４４が設けられ、大径部１４４の先端には、球体が軸方向につぶれた形状のノブ形握り部１４６が一体に設けられている。保持部１４２は、錠ケース１０４，１０６のハンドル部材挿通口１２４に挿通されて一部が錠ケース１０４，１０６の内側に位置し、大径部１４４はハンドル部材挿通口１２４よりも径が大きいため挿通せず、錠ケース１０４，１０６の外側に係止される。
【００３２】
ラッチヘッド挿通空間１１８は、側面部１６の、使用状態で上方を向く縁部１０８ｃに近く、ハンドル部材取付部１２２は、使用状態で下方を向く縁部１０８ｄ寄りに設けられている。ハンドル部材取付部１２２の、ラッチヘッド挿通空間１１８に近い角部は、ラッチヘッド挿通空間１１８の内側に入って連通されている。
【００３３】
ラッチヘッド挿通空間１１８に入れられるラッチヘッド１４８は、側面部１０８に対して平行な一対の側面１４８ａ，１４８ｂに、ラッチヘッド１４８の先端１４８ｃに近付くにつれて互いに近付く傾斜面１５０が設けられ、傾斜面１５０は、ラッチヘッド１４８内側へ窪むように湾曲されている。ラッチヘッド１４８の先端１４８ｃの反対側の端面１４８ｄには、ラッチヘッド挿通空間１１８に入るハンドル部材取付部１２２の角部に向かって突出する突起１５２が設けられている。突起１５２は、ラッチヘッド１４８の一対の側面１４８ａ，１４８ｂの間の中間に位置する薄形の板状体である。端面１４８ｄの、突起１５２が設けられていない部分には、バネ収容部１２０に対面する円筒形のバネ収容部１５４が形成されている。ハンドル錠１０２は、主に室内用用である。
【００３４】
次に、この実施形態のハンドル錠１０２の動作について説明する。ハンドル錠１２０は、上記実施形態と同様に両開き式の門扉や室内用の扉に取り付けられる。そして、門柱等の隣接する部材には、上記実施形態と同様のラッチ受部材７６が設けられている。扉を閉じるときは、扉からラッチヘッド１４８が突出した状態、つまりハンドル部材１３８に力を加えず、一対の第二コイルバネ１３６の付勢力が均等に働き、ロック板１２８が錠ケース１０４，１０６の中間に保持され、ラッチヘッド１４８の突起１５２に対向し、ラッチヘッド１４８の後退を押さえたロック状態で、ラッチ受部材７６に収容され閉じられる。扉を開けるときは、ハンドル部材１３８のノブ形握り部１４６を、手前の第二コイルバネ１３６の付勢力に抗して扉側に押し、ロック板１２８をラッチヘッド１４８の突起１５２に対向しない位置まで退避させ、ラッチヘッド１４８が移動可能な解除状態とする。そして扉を進行方向へ押すと、ラッチヘッド１４８がラッチ受部材７６に押されて錠ケース１０４，１０６の内側に後退し、ラッチ受部材７６を乗り越えて開く。
【００３５】
この実施形態のハンドル錠１０２によれば、ノブ形握り部１４６を扉側に押すだけで、ラッチヘッド１４８が移動可能な解除状態となり、その状態でさらに扉を押すだけで扉が開くため、手が不自由な人や力が弱い人でも容易に開くことができる。
【００３６】
次に、この発明の第四実施形態について図１０〜 図１２に基づいて説明する。この実施形態のハンドル錠１５６は、互いに組み合わされて箱体となる錠ケース１５８，１６０が設けられている。錠ケース１５８，１６０は、四角形の側面部１６２が設けられ、側面部１６２の周縁部には、壁部１６４が一周して立設されている。側面部１６２の縁部１６２ａは、壁部１６４にラッチヘッド挿通口１６６が設けられている。ラッチヘッド挿通口１６６の両側には一対のガイド壁部１６８が形成され、一対のガイド壁部１６８の間は、ラッチヘッド挿通空間１７０となる。ラッチヘッド挿通空間１７０の、ラッチヘッド挿通口１６６と反対側には、第一コイルバネ１７２が入れられる半円筒形のバネ収容部１７４が設けられている。
【００３７】
側面部１６２の縁部１６２ａの反対側に位置する縁部１６２ｂは、壁部１６４との角部が丸められ、壁部１６４にはハンドル部材挿通口１７８が設けられている。ハンドル部材挿通口１７８の両側には、ハンドル部材挿通口１７８の幅より広い幅に位置する一対のガイド壁部１８０が設けられ、一対のガイド壁部１８０の間はハンドル部材取付部１８２となる。ハンドル部材取付部１８２は、使用状態で下方を向く縁部１６２ｃに近く、ラッチヘッド挿通空間１７０は、使用状態で上方を向く縁部１６２ｄに近い。ラッチヘッド挿通空間１７０は、バネ収容部１７４の側方で、ハンドル部材取付部１８２に連通している。
【００３８】
一対のガイド壁部１８０には、後述する軸部材２１０を保持する半円形の軸受け部１８４が互いに対向して各々形成されている。ハンドル部材取付部１８２の、側面部１６２縁部１６２ｃ寄りの位置に、縁部１６２ｂに向かう半円形のバネ収容部１８６が設けられている。一対のガイド壁部１８０のうち、側面部１６２の縁部１６２ｄ側には、細い円筒形のバネ収容部１８８が形成されている。バネ収容部１８８は、縁部１６２ｄのガイド壁部１８０に設けられたネジ用透孔１９０に連通している。
【００３９】
ハンドル部材取付部１８２には、ハンドル部材１９２が設けられている。ハンドル部材１９２は、棒状の握り部１９４が設けられ、握り部１９４の先端には、ラッチヘッド１４８の動きを規制するロック部１９６が設けられている。ロック部１９６は、握り部１９４の中心軸に対してほぼ直角に突出し、ラッチヘッド挿通空間１７０に一部が突出している。ハンドル部材１９２の、握り部１９４とロック部１９６の間には、握り部１９４の長手方向に対して直交しロック部１９６の突出方向に平行に挿通する円筒形の軸用透孔１９８が設けられている。軸用透孔１９８の周囲は、軸用透孔１９８と同軸の円柱体２００が形成されている。円柱体２００の、側面部１６２縁部１６２ｄ側の端面２００ａには、クリック板２０２が設けられ、クリック板２０２には一対の凹部２０４が形成されている。円柱体２００の反対側の端面２００ｂには、第二コイルバネ２０６を受けるバネ収容部２０８が設けられている。
【００４０】
ハンドル部材１９２の軸用透孔１９８には軸部材２１０が挿通され、軸部材２１０の両端部は一対の軸受け部１８４に保持されている。このとき、第二コイルバネ２０６は、一端部を錠ケース１６０のバネ収容部１８６に、他端部をハンドル部材１９２のバネ収容部２０８に当接して、ハンドル部材１９２を所定位置に付勢している。また、錠ケース１６０のバネ収容部１８８には、クリック用コイルバネ２１２が圧縮して入れられ、クリック用コイルバネ２１２のクリック板２０２側端部には、クリック板２０２の凹部２０４に嵌合されてクリック感を発生する球体２１４が当接して設けられている。
【００４１】
なお、ラッチヘッド挿通空間１７０に入れられるラッチヘッド１４８は、第三実施形態と同形であり、説明を省略する。このハンドル錠１５６は、門扉に取り付けられる。
【００４２】
次に、この実施形態のハンドル錠１５６の動作について説明する。ハンドル錠１５６は、上記実施形態と同様に両開き式の門扉や室内用の扉に取り付けられる。扉を閉じるときは、扉からラッチヘッド１４８が突出した状態、つまりハンドル部１９２に力を加えず、第二コイルバネ２０６の付勢力が働き、ロック部１９６が錠ケース１５８，１６０の中間に保持され、ラッチヘッド１４８の突起１５２に対向し、ラッチヘッド１４８の後退を押さえたロック状態で、ラッチ受部材７６に収容され閉じられる。扉を開けるときは、ハンドル部材１９２の握り部１９４を、第二コイルバネ２０６の付勢力に抗して進行方向に押し、ロック部１９６をラッチヘッド１４８の突起１５２に対向しない位置まで退避させ、ラッチヘッド１４８が移動可能な解除状態とする。そして扉を進行方向へ押すと、ラッチヘッド１４８がラッチ受部材７６に押されて錠ケース１５８，１６０の内側に移動し、ラッチ受部材７６を乗り越えて開く。
【００４３】
この実施形態のハンドル錠１５６によれば、握り部１９４を進行方向に押すだけで、ラッチヘッド１４８が移動可能な解除状態となり、その状態で扉を押すだけで扉が開くため、手が不自由な人や力が弱い人でも容易に開くことができる。また、ハンドル部材１９２にはクリック板２０２が設けられているため、ロック状態か解除状態かをクリック感により判別することができる。
【００４４】
なお、この発明のハンドル錠は、上記各実施の形態に限定されるものではなく、握り部や錠ケースの形状など適宜設定可能である。また、この発明のハンドル錠は、門扉以外に室内外の扉に利用可能であり、その用途は問わない。
【図面の簡単な説明】
【００４５】
【図１】この発明の第一実施形態のハンドル錠の分解斜視図である。
【図２】この実施形態のハンドル錠の縦断面図である。
【図３】この実施形態のハンドル錠の平面図である。
【図４】この実施形態のハンドル錠の使用状態を示す斜視図である。
【図５】この実施形態のハンドル錠の動作を示す斜視図である。
【図６】この発明の第二実施形態のハンドル錠の分解斜視図である。
【図７】この発明の第三実施形態のハンドル錠の分解斜視図である。
【図８】この実施形態のハンドル錠の縦断面図である。
【図９】この実施形態のハンドル錠の平面図である。
【図１０】この発明の第四実施形態のハンドル錠の分解斜視図である。
【図１１】この実施形態のハンドル錠の縦断面図である。
【図１２】この実施形態のハンドル錠の平面図である。
【符号の説明】
【００４６】
１０  ハンドル錠
１２，１４  錠ケース
１６  側面部
１８  壁部
２０  ネジ穴
２２  ラッチヘッド挿通
２４，３４  ガイド壁部
２５  ラッチヘッド挿通空間
２６  段部
２８  バネ収容部
３２  ハンドル部材挿通口
３６  ハンドル部材取付部
３８  ハンドル部材
４０  握り部
４２  ロック部
４４  軸用透孔
５０  ラッチヘッド
５２  傾斜面
５４  突起
５６  係止突起
５７  バネ収容部
５８  取付部
６０  第一コイルバネ
６２  第二コイルバネ
６６  門扉
７０  両開き式ヒンジ
７６  ラッチ受部材
【図１】
2005163498.tif 000003
【図２】
2005163498.tif 000004
【図３】
2005163498.tif 000005
【図４】
2005163498.tif 000006
【図５】
2005163498.tif 000007
【図６】
2005163498.tif 000008
【図７】
2005163498.tif 000009
【図８】
2005163498.tif 000010
【図９】
2005163498.tif 000011
【図１０】
2005163498.tif 000012
【図１１】
2005163498.tif 000013
【図１２】
2005163498.tif 000014